【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
ユーザに課せられた印刷制限情報に基づいて、該情報により示される印刷制限を反映するよう生成された印刷設定情報のデフォルト値を含むプリンタドライバがインストールされたクライアントコンピュータにより、前記印刷設定情報に応じた印刷ジョブを生成し、該印刷ジョブを印刷装置に引き渡す印刷命令工程と、
前記印刷装置により遂行した印刷ジョブに係る印刷実績情報に、前記印刷制限情報で示される制限に反する項目が含まれている場合には、プリンタドライバサーバにより、前記制限に反する項目の値を、制限に反しない値に変更した前記印刷設定情報のデフォルト値を生成し、該デフォルト値を含むプリンタドライバを生成してクライアントコンピュータに対して送付し、インストールさせるインストール工程と
を備えることを特徴とする印刷制御方法。
【請求項２】
クライアントコンピュータにより、アクセス権生成サーバに対して、印刷制限情報により示される印刷制限を示す印刷制限タグを要求する要求工程と、
前記アクセス権生成サーバにより、前記要求工程における要求に応じて印刷制限タグを生成して前記クライアントコンピュータに応答する応答工程と、
前記クライアントコンピュータにより、印刷設定情報に応じた印刷ジョブを生成し、該印刷ジョブに前記印刷制限タグを付して印刷装置に引き渡す印刷命令工程と、
前記印刷装置において、受信した印刷ジョブが、該印刷ジョブに付された印刷制限タグにより示される印刷制限に違反しないか判定する違反判定工程と、
前記違反判定工程により違反があると判定された場合、プリンタドライバサーバにより、前記違反を示す項目が違反とならないよう前記印刷設定情報のデフォルト値をカスタム化し、該デフォルト値を含むプリンタドライバを生成してクライアントコンピュータに対して送付し、インストールさせるインストール工程と
を備えることを特徴とする印刷制御方法。
【請求項３】
ユーザに課せられた印刷制限情報に基づいて、該情報により示される印刷制限を反映しするよう印刷設定情報のデフォルト値をカスタム化し、該デフォルト値を含むプリンタドライバをプリンタドライバサーバにより生成し、生成されたプリンタドライバを、クライアントコンピュータに対して送付してインストールさせるドライバインストール工程と、
前記インストール工程によりインストールされたプリンタドライバを用いて印刷を行う前に、前記クライアントコンピュータにより、アクセス権生成サーバに対して、前記印刷制限情報により示される印刷制限を示す印刷制限タグを要求する要求工程と、
前記アクセス権生成サーバにより、前記要求工程における要求に応じて印刷制限タグを生成して前記クライアントコンピュータに応答する応答工程と、
前記クライアントコンピュータにより、前記印刷設定情報に応じた印刷ジョブを生成し、該印刷ジョブに前記印刷制限タグを付して印刷装置に引き渡す印刷命令工程と、
前記印刷装置において、受信した印刷ジョブが、該印刷ジョブに付された印刷制限タグにより示される印刷制限に違反しないか判定する違反判定工程と、
前記印刷装置により遂行した印刷ジョブに係る印刷実績情報を、前記違反判定工程により違反があると判定された場合の違反を示す情報を含めて実績管理サーバにより保存する保存工程と、
前記アクセス権制御サーバにより、前記実績管理サーバにより保存されている前記印刷実績情報を取得し、前記印刷制限情報で示される制限に反する項目が前記印刷実績情報に含まれている場合には、該項目が前記制限に適合するよう前記印刷制限タグを更新する印刷制限タグ更新工程と、
前記プリンタドライバサーバにより、前記アクセス権制御サーバをポーリングして前記印刷制限タグが更新されたことをチェックし、更新されていた場合には、更新されている印刷制限タグにより示される印刷制限を反映するよう前記印刷設定情報のデフォルト値をカスタム化し、該デフォルト値を含むプリンタドライバを生成してクライアントコンピュータに対して送付し、インストールさせるインストール工程と、
前記アクセス権制御サーバにより、前記実績管理サーバにより保存されている前記印刷実績情報を取得し、違反を示す項目が前記印刷実績情報に含まれている場合には、前記プリンタドライバサーバにより、前記違反を示す項目が違反とならないよう前記印刷設定情報のデフォルト値をカスタム化し、該デフォルト値を含むプリンタドライバを生成してクライアントコンピュータに対して送付し、インストールさせるインストール工程と
を備えることを特徴とする印刷制御方法。
【請求項４】
前記印刷制限情報は、ユーザ及び印刷装置毎に与えられることを特徴とする請求項１乃至３のいずれか１項に記載の印刷制御方法。
【請求項５】
ユーザに課せられた印刷制限情報に基づいて、該情報により示される印刷制限を反映するよう生成された印刷設定情報のデフォルト値を含むプリンタドライバがインストールされており、前記印刷設定情報に応じた印刷ジョブを生成し、該印刷ジョブを印刷装置に引き渡すクライアントコンピュータと、
前記印刷装置により遂行した印刷ジョブに係る印刷実績情報に、前記印刷制限情報で示される制限に反する項目が含まれている場合には、前記制限に反する項目の値を、制限に反しない値に変更した前記印刷設定情報のデフォルト値を生成し、該デフォルト値を含むプリンタドライバを生成してクライアントコンピュータに対して送付し、インストールさせるプリンタドライバサーバと
を備えることを特徴とする印刷設定管理システム。
【請求項６】
アクセス権生成サーバに対して、印刷制限情報により示される印刷制限を示す印刷制限タグを要求し、獲得した前記印刷制限タグを、印刷設定情報に応じ生成した印刷ジョブに付して印刷装置に引き渡すするクライアントコンピュータと、
前記クライアントコンピュータの要求に応じて、印刷制限タグを生成して前記クライアントコンピュータに応答するアクセス権生成サーバと、
前記クライアントコンピュータより印刷ジョブを受信し、該印刷ジョブに付された印刷制限タグにより示される印刷制限に違反しないか判定する印刷装置と、
前記印刷装置により違反があると判定された場合、前記違反を示す項目が違反とならないよう前記印刷設定情報のデフォルト値をカスタム化し、該デフォルト値を含むプリンタドライバを生成してクライアントコンピュータに対して送付し、インストールさせるプリンタドライバサーバと
を備えることを特徴とする印刷設定管理システム。
【請求項７】
ユーザに課せられた印刷制限情報に基づいて、該情報により示される印刷制限を反映しするよう印刷設定情報のデフォルト値をカスタム化し、該デフォルト値を含むプリンタドライバを生成し、生成されたプリンタドライバを、クライアントコンピュータに対して送付してインストールさせるプリンタドライバサーバと、
アクセス権生成サーバに対して、印刷制限情報により示される印刷制限を示す印刷制限タグを要求し、獲得した前記印刷制限タグを、印刷設定情報に応じ生成した印刷ジョブに付して印刷装置に引き渡すするクライアントコンピュータと、
前記印刷制限タグの要求に応じて印刷制限タグを生成して前記クライアントコンピュータに応答するアクセス権生成サーバと、
受信した印刷ジョブが、該印刷ジョブに付された印刷制限タグにより示される印刷制限に違反しないか判定する印刷装置と、
前記印刷装置により遂行した印刷ジョブに係る印刷実績情報を、前記印刷制限に対する違反があると判定された場合の違反を示す情報を含めて保存する実績管理サーバとを備え、
前記アクセス権制御サーバは、前記実績管理サーバにより保存されている前記印刷実績情報を取得し、前記印刷制限情報で示される制限に反する項目が前記印刷実績情報に含まれている場合には、該項目が前記制限に適合するよう前記印刷制限タグを更新し、
前記プリンタドライバサーバは、前記アクセス権制御サーバをポーリングして前記印刷制限タグが更新されたことをチェックし、更新されていた場合には、更新されている印刷制限タグにより示される印刷制限を反映するよう前記印刷設定情報のデフォルト値をカスタム化し、該デフォルト値を含むプリンタドライバを生成してクライアントコンピュータに対して送付してインストールさせ、違反を示す項目が前記印刷実績情報に含まれている場合には、前記違反を示す項目が違反とならないよう前記印刷設定情報のデフォルト値をカスタム化し、該デフォルト値を含むプリンタドライバを生成してクライアントコンピュータに対して送付し、インストールさせることを特徴とする印刷設定管理システム。
【請求項８】
前記印刷制限情報は、ユーザ及び印刷装置毎に与えられることを特徴とする請求項５乃至７のいずれか１項に記載の印刷設定管理システム。
【請求項９】
ユーザに課せられた印刷制限情報に基づいて、該情報により示される印刷制限を反映しするよう印刷設定情報のデフォルト値をカスタム化し、該デフォルト値を含むプリンタドライバを生成する第１の生成手段と、
印刷装置による印刷ジョブの印刷実績情報を取得し、前記印刷制限情報で示される制限に違反する項目が前記印刷実績情報に含まれている場合には、当該違反する印刷制限を反映するよう前記印刷設定情報のデフォルト値をカスタム化し、該デフォルト値を含むプリンタドライバを生成する第２の生成手段と
を備えることを特徴とするソフトウエア配布サーバ。
【請求項１０】
前記第２の生成手段に代えて、あるいは前記第１の生成手段及び第２の生成手段に加えて、前記印刷装置により実行しようとした印刷ジョブが前記印刷制限情報で示される制限に違反することを示す情報を取得した場合に、違反する項目が違反とならないよう前記印刷設定情報のデフォルト値をカスタム化し、該デフォルト値を含むプリンタドライバを生成してクライアントコンピュータに対して送付する第３の生成手段を備えることを特徴とする請求項９に記載のソフトウエア配布サーバ。
【請求項１１】
前記印刷制限情報は、ユーザ及び印刷装置毎に与えられることを特徴とする請求項９または１０に記載のソフトウエア配布サーバ。
【請求項１２】
ユーザに課せられた印刷制限情報に基づいて、該情報により示される印刷制限を反映しするよう印刷設定情報のデフォルト値をカスタム化し、該デフォルト値を含むプリンタドライバを生成する第１の生成手段と、
印刷装置による印刷ジョブの印刷実績情報を取得し、前記印刷制限情報で示される制限に違反する項目が前記印刷実績情報に含まれている場合には、当該違反する印刷制限を反映するよう前記印刷設定情報のデフォルト値をカスタム化し、該デフォルト値を含むプリンタドライバを生成する第２の生成手段としてコンピュータを機能させることを特徴とするプログラム。
【請求項１３】
前記第２の生成手段に代えて、あるいは前記第１の生成手段及び第２の生成手段に加えて、前記印刷装置により実行しようとした印刷ジョブが前記印刷制限情報で示される制限に違反することを示す情報を取得した場合に、違反する項目が違反とならないよう前記印刷設定情報のデフォルト値をカスタム化し、該デフォルト値を含むプリンタドライバを生成してクライアントコンピュータに対して送付する第３の生成手段してコンピュータを機能させることを特徴とする請求項１２に記載のプログラム。
【手続補正２】
【補正対象書類名】明細書
【補正対象項目名】０００７
【補正方法】変更
【補正の内容】
【０００７】
上記目的を達成するために本発明は以下の構成を備える。すなわち、ユーザに課せられた印刷制限情報に基づいて、該情報により示される印刷制限を反映するよう生成された印刷設定情報のデフォルト値を含むプリンタドライバがインストールされたクライアントコンピュータにより、前記印刷設定情報に応じた印刷ジョブを生成し、該印刷ジョブを印刷装置に引き渡す印刷命令工程と、
前記印刷装置により遂行した印刷ジョブに係る印刷実績情報に、前記印刷制限情報で示される制限に反する項目が含まれている場合には、プリンタドライバサーバにより、前記制限に反する項目の値を、制限に反しない値に変更した前記印刷設定情報のデフォルト値を生成し、該デフォルト値を含むプリンタドライバを生成してクライアントコンピュータに対して送付し、インストールさせるインストール工程とを備えることを特徴とする。
【手続補正３】
【補正対象書類名】明細書
【補正対象項目名】０００８
【補正方法】変更
【補正の内容】
【０００８】
あるいは、クライアントコンピュータにより、アクセス権生成サーバに対して、印刷制限情報により示される印刷制限を示す印刷制限タグを要求する要求工程と、
前記アクセス権生成サーバにより、前記要求工程における要求に応じて印刷制限タグを生成して前記クライアントコンピュータに応答する応答工程と、
前記クライアントコンピュータにより、前記印刷設定情報に応じた印刷ジョブを生成し、該印刷ジョブに前記印刷制限タグを付して印刷装置に引き渡す印刷命令工程と、
前記印刷装置において、受信した印刷ジョブが、該印刷ジョブに付された印刷制限タグにより示される印刷制限に違反しないか判定する違反判定工程と、
前記違反判定工程により違反があると判定された場合、プリンタドライバサーバにより、前記違反を示す項目が違反とならないよう前記印刷設定情報のデフォルト値をカスタム化し、該デフォルト値を含むプリンタドライバを生成してクライアントコンピュータに対して送付し、インストールさせるインストール工程とを備えることを特徴とする。
【手続補正４】
【補正対象書類名】明細書
【補正対象項目名】００１０
【補正方法】変更
【補正の内容】
【００１０】
あるいは、ユーザに課せられた印刷制限情報に基づいて、該情報により示される印刷制限を反映しするよう印刷設定情報のデフォルト値をカスタム化し、該デフォルト値を含むプリンタドライバを生成する第１の生成手段と、
印刷装置による印刷ジョブの印刷実績情報を取得し、前記印刷制限情報で示される制限に違反する項目が前記印刷実績情報に含まれている場合には、当該違反する印刷制限を反映するよう前記印刷設定情報のデフォルト値をカスタム化し、該デフォルト値を含むプリンタドライバを生成する第２の生成手段とを備えることを特徴とするソフトウエア配布サーバ。